(57)【要約】【課題】被測定者の左右勝手に対応した血圧測定を可能にしつつ、装置の使用条件に制限を加えることなく、送受信部の設置個数を抑制して装置の小型化や装置の製造コストの低減化を図り得る血圧測定装置を提供する。【解決手段】被測定者Ｈの血圧を所定の測定部位にて測定する血圧測定部４を備えた本体部２と、本体部２とは別体の別体部３とを有し、赤外線通信を行う送受信部を本体部２及び別体部３に備え、送受信部を介して得た本体部２側のデータを表示する表示部１８を別体部３に設けて成る血圧測定装置１である。送受信部を、血圧測定部４にて測定している被測定者Ｈの方向に向くように形成すると共に、被測定者Ｈに反射させた赤外線で通信する手段とする。【選択図】図１
2008148767.tif 000002
【特許請求の範囲】
【請求項１】
被測定者の血圧を所定の測定部位にて測定する血圧測定部を備えた本体部と、本体部とは別体の別体部とを有し、赤外線通信を行う送受信部を本体部及び別体部に備え、送受信部を介して得た本体部側のデータを表示する表示部を別体部に設けて成る血圧測定装置であって、送受信部を、血圧測定部にて測定している被測定者の方向に向くように形成すると共に、被測定者に反射させた赤外線で通信する手段として成ることを特徴とする血圧測定装置。
【請求項２】
上記送受信部を、少なくとも上方を覆う庇部を備えた凹み部の底部に配設したことを特徴とする請求項１記載の血圧測定装置。
【請求項３】
本体部と別体部とが着脱可能であり、本体部と別体部とを装着した状態で本体部及び別体部の送受信部間の送受信経路を遮断する遮断手段を有したことを特徴とする請求項１又は２記載の血圧測定装置。
【請求項４】
本体部と別体部とが着脱可能であり、本体部と別体部とを装着した状態で本体部及び別体部の送受信部の機能を停止させる機能停止手段を有したことを特徴とする請求項１乃至３のいずれか一項に記載の血圧測定装置。
【請求項５】
本体部に、被測定者の有無を検知する人体検知手段と、人体検知手段により被測定者が無いことを認識した際に血圧測定部の動作を停止させる制御部とを設けたことを特徴とする請求項１乃至４のいずれか一項に記載の血圧測定装置。
【請求項６】
本体部及び別体部の送受信部での通信状態を報知させる報知手段を備えたことを特徴とする請求項１乃至５のいずれか一項に記載の血圧測定装置。
【発明の詳細な説明】
【技術分野】
【０００１】
本発明は、血圧測定装置に関するものである。
【背景技術】
【０００２】
従来より、血圧測定装置としては、被測定者の血圧を所定の測定部位にて測定する血圧測定部を備えた本体部と、本体部とは別体の別体部とを有し、赤外線通信を行う送受信部を本体部及び別体部に備え、送受信部を介して得た本体部側のデータを表示する表示部を別体部に設けて構成されたものが知られている（たとえば特許文献１，２，３参照）。このような血圧測定装置は、血圧測定時に別体部の表示部を見易い位置に位置させ得るため正しい姿勢で血圧測定ができたり、家庭で測定した血圧値を医師に見せるために別体部のみを携行することができて便利であるという利点を有している。しかしながら、このような血圧測定装置では、送受信部での赤外線通信が良好に行われなかったり、送受信部での良好な赤外線通信を確保するために装置の構成が複雑化してしまう、という問題があった。
【０００３】
すなわち、赤外線通信を行うワイヤレス形式の送受信部としては、一般的に、たとえば本体部と受信部とに備えた送受信部間で直接赤外線の授受が行われる直接タイプと、本体部と受信部とに備えた送受信部間の赤外線の授受が赤外線を部屋の壁等への反射を介して行われる反射タイプとがある。前者の場合にはたとえばテレビのリモコンが挙げられ、リモコンに備えた送信部をテレビに備えた受信部に向けて使用する。後者の場合にはたとえば設置型のアルカリイオン整水器が挙げられ、台所などの水道の蛇口に設けたリモコンに送信部を備え、送信部から送信（発光）させた赤外線を天井で反射させて、その付近に設置された整水器本体に備えた受信部で受信（受光）して使用される。
【０００４】
ここで、本体部２と別体部３とで成る血圧測定装置１において、送受信部に直接タイプが採用された場合には、たとえば本体部２の血圧測定部４では被測定者Ｈの腕で血圧を測定するものが多いが、血圧測定をする腕を左右両方で使用できるようにするためには別体部３をその表示部１８が被測定者Ｈに見易いように本体部２に対して左右に位置させて使用することとなり、つまり図１５（ａ）（ｂ）のように左右勝手に対応して本体部２及び別体部３の左右両側にそれぞれ送受信部（本体側通信部１５、別体側通信部２２）を設ける必要が生じ、血圧測定装置１の製造コストが高騰するのみならず、血圧測定装置１の小型化も図ることができないのである。なお、図中Ｒは赤外線である。
【０００５】
また、上記血圧測定装置１の送受信部に反射タイプが採用された場合、送信した赤外線を天井に反射させるものでは受信部を天井に向けるように形成する必要があって蛍光灯のノイズにより誤動作が生じ易くなったり、ノイズを除去するためにフィルタ効果の高い高価なフィルタを受信部に付設すると製造コストが高騰してしまう。また、送信した赤外線を送信部に対して左右方向に位置する壁などに反射させて受信部で受信させようとした場合には、血圧測定装置から壁に至る間に障害物があるとこれを達成し難く、使用可能な条件が限られて非常に使い勝手が悪くなるものであった。
【特許文献１】特開２００５−２３７５６０号公報
【特許文献２】特開２００６−２０４５４３号公報
【特許文献３】特開平５−５６９３８号公報
【発明の開示】
【発明が解決しようとする課題】
【０００６】
本発明は上記の点に鑑みてなされたものであり、その目的とするところは、被測定者の左右勝手に対応した血圧測定を可能にしつつ、装置の使用条件に制限を加えることなく、送受信部の設置個数を抑制して装置の小型化や装置の製造コストの低減化を図り得る血圧測定装置を提供することを課題とするものである。
【課題を解決するための手段】
【０００７】
上記課題を解決するために請求項１に係る血圧測定装置にあっては、被測定者Ｈの血圧を所定の測定部位にて測定する血圧測定部４を備えた本体部２と、本体部２とは別体の別体部３とを有し、赤外線通信を行う送受信部を本体部２及び別体部３に備え、送受信部を介して得た本体部２側のデータを表示する表示部１８を別体部３に設けて成る血圧測定装置１であって、送受信部を、血圧測定部４にて測定している被測定者Ｈの方向に向くように形成すると共に、被測定者Ｈに反射させた赤外線で通信する手段として成ることを特徴とする。これによると、測定部位の左右勝手にかかわらず血圧測定部４で血圧測定中の被測定者Ｈは血圧測定装置１（本体部２及び別体部３）に対して近傍の略一定の位置に位置しており、つまり、被測定者Ｈと血圧測定装置１との間に障害物がある状況は考え難いと共に、上記血圧測定装置１（本体部２及び別体部３）に対して近傍の略一定の位置に位置する被測定者Ｈに赤外線を反射させるのにわざわざ送受信部を複数設ける必要もなく、したがって、血圧測定装置１での被測定者Ｈの左右勝手に対応した血圧測定を可能にしつつ、血圧測定装置１の使用条件に制限を加えることなく、送受信部の設置個数を抑制できて血圧測定装置１の小型化や血圧測定装置１の製造コストの低減化を図ることができるのである。
【０００８】
また、請求項２に係る血圧測定装置にあっては、請求項１において、上記送受信部を、少なくとも上方を覆う庇部６を備えた凹み部５の底部に配設したことを特徴とする。これによると、被測定者Ｈが誤って送受信部を塞いでしまう恐れを低減できると共に、庇部６によって蛍光灯のノイズＮを送受信部に至らせないようにできて蛍光灯のノイズＮによる血圧測定装置１の誤動作を防止することができる。
【０００９】
また、請求項３に係る血圧測定装置にあっては、請求項１または２において、本体部２と別体部３とが着脱可能であり、本体部２と別体部３とを装着した状態で本体部２及び別体部３の送受信部間の送受信経路を遮断する遮断手段を有したことを特徴とする。これによると、本体部２と別体部３とを装着した状態（つまり、血圧測定装置１の不使用時）では、送受信部間の通信を介した血圧測定装置１の誤動作を確実に防止することができる。
【００１０】
また、請求項４に係る血圧測定装置にあっては、請求項１乃至３のいずれか一項において、本体部２と別体部３とが着脱可能であり、本体部２と別体部３とを装着した状態で本体部２及び別体部３の送受信部の機能を停止させる機能停止手段を有したことを特徴とする。これによると、本体部２と別体部３とを装着した状態（つまり、血圧測定装置１の不使用時）では、送受信部間の通信を介した血圧測定装置１の誤動作を確実に防止することができると共に、機能停止手段が電源をオフにするものであれば血圧測定装置１の省エネ効果も向上できる。
【００１１】
また、請求項５に係る血圧測定装置にあっては、請求項１乃至４のいずれか一項において、本体部２に、被測定者Ｈの有無を検知する人体検知手段と、人体検知手段により被測定者Ｈが無いことを認識した際に血圧測定部４の動作を停止させる制御部とを設けたことを特徴とする。これによると、被測定者Ｈがいないときの血圧測定装置１の誤動作を防止できるのであり、たとえば遊んでいる子供が血圧測定装置１を誤って操作した場合に対する安全性を高めることができる。
【００１２】
また、請求項６に係る血圧測定装置にあっては、請求項１乃至５のいずれか一項において、本体部２及び別体部３の送受信部での通信状態を報知させる報知手段を備えたことを特徴とする。これによると、送受信部間の通信不良による測定エラーを回避したり、別体部３の紛失防止を被測定者Ｈに促すようにできる。
【発明の効果】
【００１３】
本発明にあっては、血圧測定装置での被測定者の左右勝手に対応した血圧測定を可能にしつつ、血圧測定装置の使用条件に制限を加えることなく、送受信部の設置個数を抑制できて血圧測定装置の小型化や血圧測定装置の製造コストの低減化を図ることができる、という利点を有する。
【発明を実施するための最良の形態】
【００１４】
以下、本発明を添付図面に示す実施形態に基いて説明する。
【００１５】
本発明の実施の形態の例の血圧測定装置１は、図１乃至図３のように、被測定者Ｈの腕にて血圧を測定する血圧測定部４を備えた本体部２と、本体部２とは別体の別体部３とを有しており、赤外線通信を行うワイヤレス形式の送受信部が本体部２及び別体部３に備えられており、別体部３には送受信部を介して得た本体部側のデータ（血圧測定部４での血圧測定結果など）を表示する表示部１８が設けられている。なお、図では送受信部間での通信媒体である赤外線はＲで表記する。
【００１６】
血圧測定部４は被測定者Ｈの腕を挿入するための挿入穴７が本体部２の前後に貫通するように形成され、この挿入穴７には被測定者Ｈの腕を圧迫させるために膨縮するカフ８が穴内面に臨んで配設されている。カフ８は加圧ポンプ９による給気により膨張し、カフ８内の空気は血圧測定後などに排気弁１０により排気される。本体部２には、加圧したカフ８内の圧力値を検知する圧力センサ１１、被測定者Ｈに操作されて血圧測定動作の指示を与えるための本体操作部１２、圧力センサ１１や本体操作部１２に接続されて加圧ポンプ９や排気弁１０の動作制御など本体部２の動作制御を行う本体側制御回路１３が備えられている。本体側制御回路１３には血圧測定時の血圧測定部４での測定データを基に計算処理を行って血圧測定結果を算出するＣＰＵ１４を有している。無論、本体側制御回路１３には送受信部を構成する本体側通信部１５が接続されている。
【００１７】
別体部３は、前半部が水平板状部１６で構成されており、後半部が斜め上方に屈曲した傾斜板状部１７で構成された、屈曲板状の外形を有している。前方斜め上方に面する傾斜板状部１７の上面には血圧測定結果表示部１８ａを備えた表示部１８が設けられている。表示部１８での表示は別体部３の動作制御を行う別体側制御回路１９にて制御される。別体部３には、上記表示部１８や別体側制御回路１９のほかに、血圧測定結果を記憶する記憶部２０、表示部１８への表示内容などを操作する別体操作部２１、送受信部を構成する別体側通信部２２を有しており、いずれも別体側制御回路１９に接続されている。
【００１８】
送受信部を構成する本体側通信部１５及び別体側通信部２２は赤外線の発光部や赤外線の受光部で構成されており、通信部間において双方向で通信する場合は各通信部共に発光部及び受光部を備えており、通信部間において一方向で通信する場合、たとえば本体部２から発信して別体部３で受信する場合には、本体側通信部１５が発光部で構成されると共に別体側通信部２２が受光部で構成される。
【００１９】
上記構成の血圧測定装置１にあっては、図１のように、本体部２の挿入穴７にその前方から被測定者Ｈの前方に伸ばした腕を挿入すると共に、別体部３をその表示部１８が見易いように被測定者Ｈの前側に位置させるようにして血圧測定が行われる。詳しくは、血圧測定部４の挿入穴７には被測定者Ｈの両腕のいずれかを挿入するのであり、すなわち被測定者Ｈの血圧測定姿勢には左右勝手があるが、いずれの場合も血圧測定姿勢にある被測定者Ｈは本体部２のすぐ近傍の前方位置に位置することとなる。このように、被測定者Ｈの血圧測定姿勢の左右勝手にかかわらず、本体部２の前面及び別体部３の前面が被測定者Ｈに面するように位置される。
【００２０】
ここで、本体側通信部１５は本体部２の前面における左右中央部に配置され、別体側通信部２２は別体部３の前面における左右中央部に配置されている。つまり、送受信部を構成する本体側通信部１５及び別体側通信部２２の赤外線発光角度範囲や赤外線受光角度範囲は血圧測定を行っている被測定者Ｈに向くようになっており、すなわち本体側通信部１５と別体側通信部２２との間の赤外線通信は、一方の通信部１５（２２）で発光させた赤外線を被測定者Ｈで反射させて他方の通信部２２（１５）で受光させ得るようにされている。
【００２１】
上記のように本例の血圧測定装置１にあっては、血圧測定姿勢の左右勝手にかかわらず血圧測定部４で血圧測定中の被測定者Ｈは血圧測定装置１（本体部２及び別体部３）に対して近傍の略一定の位置（近傍の前方位置）に位置するものであり（特に被測定者Ｈの胸や腹等の主体部分は本体部２及び別体部３の前面に対向位置している）、つまり、被測定者Ｈと血圧測定装置１との間に障害物がある状況は考え難いと共に、上記血圧測定装置１（本体部２及び別体部３）に対して近傍の略一定の位置に位置する被測定者Ｈに赤外線を反射させるのにわざわざ送受信部を複数設ける（本体側通信部１５や別体側通信部２２を本体部２や別体部３にそれぞれ複数設ける）必要もないものであり、したがって、血圧測定装置１での被測定者Ｈの左右勝手に対応した血圧測定を可能にしつつ、血圧測定装置１の使用条件に制限を加えることもなく、送受信部の設置個数を抑制できて血圧測定装置１の小型化や血圧測定装置１の製造コストの低減化を図ることができたものである。
【００２２】
以下、本発明の実施の形態の他例を列挙する。先例と同様部分は同符号を付して説明を省き、異なる部位について説明する。
【００２３】
図４及び５の例の血圧測定装置１にあっては、本体側通信部１５や別体側通信部２２の配置位置を先例と異ならせている。つまり、先例では本体側通信部１５や別体側通信部２２はそれぞれ面一形状の略鉛直面に形成された本体部２の前端面２ａや別体部３の前端面３ａ（水平板状部１６の前端面）に配置されているが、本例では本体側通信部１５や別体側通信部２２は本体部２の前端面２ａや別体部３の前端面３ａから後方に凹設した凹み部５の底部に配設されている。詳しくは、本例の凹み部５には上方を覆う庇部６を備えており、本体側通信部１５や別体側通信部２２は、本体部２や別体部３を上方から見たときには庇部６によって見えず、本体部２や別体部３を左右側方から見たときには見える様になっている。これによると、被測定者Ｈが誤って送受信部（本体側通信部１５や別体側通信部２２）を塞いでしまう恐れを低減できて送受信部間の送受信経路を遮断する恐れを低減できると共に、庇部６によって室内天井にある蛍光灯からのノイズを送受信部（特に受光部）に至らせないようにできて蛍光灯のノイズＮによる血圧測定装置１の誤動作を防止できて好ましい。本例の庇部６は通信部１５，２２の上方にのみ設けられているが、これに限られず、通信部１５，２２の上方に加えて通信部１５，２２の側方や下方にも設けるようにしてもよい。
【００２４】
図６や図７の各例の血圧測定装置１にあっては、本体部２と別体部３とが着脱可能とされており、本体部２と別体部３とを装着した状態で本体部２及び別体部３の送受信部間の送受信経路を遮断する遮断手段を備えた例である。
【００２５】
詳しくは、図６の例では、本体部２の左右方向の側面部にポケット状の収納部２３が上方に開口して設けられており、この収納部２３にその上方から別体部３の水平板状部１６をその前方から差し込むことで、本体部２に別体部３を収納状態で装着できるようにされている。本体部２の収納部２３に別体部３を収納した状態では、収納部２３にて別体側通信部２２の周囲が覆われるのであって上記遮蔽手段が構成されている。
【００２６】
また、図７の例では、挿入穴７の前方開口が収納部２３となっており、この収納部２３に別体部３の水平板状部１６と傾斜板状部１７との突状の角部を嵌合させることで、別体部３が収納部２３に収納された状態で本体部２に装着できるようにされている。詳しくは、別体部３を収納部２３に収納した状態では、別体部３が挿入穴７の前方開口を塞ぐように装着されており、このとき別体側通信部２２は挿入穴７の内部に収められると共に挿入穴７の内面に対向するように位置する。つまり、本体部２の収納部２３に別体部３を収納した状態では、収納部２３にて別体側通信部２２の周囲が覆われるのであって上記遮蔽手段が構成されている。
【００２７】
上記各例のように、本体部２と別体部３とを装着した状態で本体部２及び別体部３の送受信部間の送受信経路を遮断する遮断手段を備えた血圧測定装置１にあっては、本体部２と別体部３とを装着した状態（つまり、血圧測定装置１の不使用時）では、送受信部間の通信を介した血圧測定装置１の誤動作を確実に防止することができて好ましい。
【００２８】
なお、上記図７の本体部２は、机等の設置面に置く基台部２４と、基台部２４の上部に上下に枢支連結した血圧測定部４とで構成されている。血圧測定部４は内部に挿入穴７が前後に貫通するように形成された筒状部材であり、血圧測定時には水平に近づける様な姿勢にされると共に、不使用時には前面が上方を向くような姿勢にされる。本体側通信部１５は筒状の血圧測定部４の筒側面のうち血圧測定時に前斜め下方に向く部位に配置されており、つまり、本体側通信部１５は血圧測定時には前斜め下方に向くのであって、血圧測定部４の前端部は先の庇部６のように蛍光灯のノイズＮを本体側通信部１５に至らせない様に遮断する箇所として機能する。
【００２９】
図８や図９の各例の血圧測定装置１にあっては、本体部２と別体部３とが着脱可能とされており、本体部２と別体部３とを装着した状態で本体部２及び別体部３の送受信部の機能を停止させる機能停止手段を備えた例である。
【００３０】
詳しくは、図８の例では、別体部３の前端部で構成される庇部６の下面に、上記機能停止手段を構成する血圧測定装置１の電源ボタン２５が設けられている。別体部３を挿入穴７の前方開口で構成される収納部２３に収納して本体部２に装着した際には、血圧測定部４の前端面における挿入穴７の前縁部分によって電源ボタン２５が押圧されて、血圧測定装置１の電源がオフになる。別体部３を本体部２から取外すと、電源ボタン２５の押圧が解除されて、血圧測定装置１の電源がオンになる。
【００３１】
また、図９の例では、本体部２の血圧測定部４の前端面における挿入穴７の前縁部分に、上記機能停止手段を構成する血圧測定装置１の電源ボタン２５が設けられている。別体部３を挿入穴７の前方開口で構成される収納部２３に収納して本体部２に装着した際には、別体部３の下面によって電源ボタン２５が押圧されて、血圧測定装置１の電源がオフになる。別体部３を本体部２から取外すと、電源ボタン２５の押圧が解除されて、血圧測定装置１の電源がオンになる。
【００３２】
上記各例のように、本体部２と別体部３とを装着した状態で本体部２及び別体部３の送受信部の機能を停止させる機能停止手段を備えた血圧測定装置１にあっては、本体部２と別体部３とを装着した状態（つまり、血圧測定装置１の不使用時）では、送受信部間の通信を介した血圧測定装置１の誤動作を確実に防止することができると共に、電源をオフにできて血圧測定装置１の省エネ効果も向上できて好ましい。
【００３３】
図１０や図１１の各例の血圧測定装置１にあっては、本体部２に、被測定者Ｈの有無を検知する人体検知手段と、人体検知手段により被測定者Ｈが無いことを認識した際に血圧測定部４の動作を停止させる制御部とを設けた例である。
【００３４】
詳しくは、図１０の例では、本体部２に人体検知手段を構成する人体検知センサ２６を設け、人体検知センサ２６を本体側制御回路１３に接続させて、人体検知センサ２６との協働で被測定者Ｈが無いことを認識した際に血圧測定部４の動作を停止させる機能を本体側制御回路１３に付加させることで、本体側制御回路１３が上記制御部として作動するようにした例である。血圧測定時には被測定者Ｈは本体部２の前方に位置するから、人体検知センサ２６は本体部２の前端面２ａに配置される。人体検知センサ２６は検知波発信部と検知波受信部とを有し、検知波発信部で発信した検知波Ｋを被測定者Ｈに反射させて検知波受信部で受信することで被測定者Ｈを検知するものであり、検知波Ｋとしてはマイクロ波や赤外線（送受信部間で通信される赤外線とは波長が異なる検知波用の赤外線）などが好適に用いられる。
【００３５】
また、図１１の例では、人体検知手段を発光部と受光部とを有した本体側通信部１５で兼用し、本体側通信部１５との協働で被測定者Ｈが無いことを認識した際に血圧測定部４の動作を停止させる機能を本体側制御回路１３に付加させることで、本体側制御回路１３が上記制御部として作動するようにした例である。つまり、本体側通信部１５の発光部では、被測定者Ｈに反射させて本体部２及び別体部３の送受信部間で通信するために赤外線を発光するのであるが、上記被測定者Ｈに反射した赤外線の一部を本体側通信部１５の受光部で受光することで、人体検知を行うように（人体検知手段として機能するように）なっている。
【００３６】
上記各例のように、本体部２に、被測定者Ｈの有無を検知する人体検知手段と、人体検知手段により被測定者Ｈが無いことを認識した際に血圧測定部４の動作を停止させる制御部とを設けた血圧測定装置１にあっては、被測定者Ｈがいないときの血圧測定装置１の誤動作を防止できるのであり、たとえば遊んでいる子供が血圧測定装置１を誤って操作した場合への安全性を高めることができて好ましい。
【００３７】
図１２及び１３や図１４の例の血圧測定装置１にあっては、本体部２及び別体部３の送受信部での通信状態を報知させる報知手段を備えた例である。
【００３８】
詳しくは、図１２及び１３の例では、表示部１８内に、測定結果表示部１８ａのほかに、報知手段としての通信状態表示部１８ｂを設けている。通信状態表示部１８ｂはたとえば通信状態の強さを複数本の棒状マーク２７の表示の有無によって複数段階で液晶表示できるようにされており、つまり、本体部２及び別体部３の送受信部での通信状態が良好の場合には図１２（ｂ）のように表示可能な全ての棒状マーク２７を並べて表示し、通信状態が悪くなる毎に表示する棒状マーク２７の数を少なくし、通信不能状態の場合には図１３（ｂ）のように表示する棒状マーク２７の数を無くするようにしている。なお、通信状態表示部１８ｂの表示は、別体側通信部２２で受信する赤外線の強さを別体側制御回路１９で認識し、別体側制御回路１９での上記認識に基づいて制御される。
【００３９】
また、図１４の例では、本体部２または別体部３に報知手段としてのスピーカ部２８を備え、本体部２及び別体部３の送受信部が通信不能又は通信不良状態のときには図１４（ｂ）のようにスピーカ部２８からたとえば「ピピピピ…」といったような報知音Ｓを発するようにしている。なお、スピーカ部２８での報知音Ｓの発生は、本体側通信部１５や別体側通信部２２で受信する赤外線の強さを本体側制御回路１３や別体側制御回路１９で認識し、本体側制御回路１３や別体側制御回路１９での上記認識に基づいて制御される。無論、報知音Ｓとしては音声アナウンスなどでも構わない。
【００４０】
上記各例のように、本体部２及び別体部３の送受信部での通信状態を報知させる報知手段を備えた血圧測定装置１にあっては、送受信部間の通信不良による測定エラーを回避したり、別体部３の紛失防止を被測定者Ｈに促すようにできて好ましい。なお、本体操作部１２や別体操作部２１には報知手段のオンオフ設定ボタンを設け、上記報知手段のオンオフ設定ボタンの操作によって別体部３のみを医師に見せるために携行する場合に報知手段が働かないようにできるようにするのが好ましい。殊に、報知手段がスピーカ部２８を用いた音を発する手段である場合に有用である。
【００４１】
なお、上記実施形態では、別体部３は水平板状部１６と傾斜板状部１７とが固定状態にある一体剛性体であるが、別体部３は傾斜板状部１７が水平板状部１６に対して上下に傾倒自在にされたものでもよい。
【図面の簡単な説明】
【００４２】
【図１】本発明の実施の形態の例の血圧測定装置の使用状態（血圧測定時）を説明する平面図である。
【図２】同上の血圧測定装置の斜視図である。
【図３】同上の血圧測定装置の構成ブロック図である。
【図４】本発明の実施の形態の他例の血圧測定装置の斜視図である。
【図５】同上の血圧測定装置の使用状態（血圧測定時）を説明する側面図である。
【図６】本発明の実施の形態の他例の血圧測定装置における不使用状態の斜視図である。
【図７】更に他例の血圧測定装置であり、（ａ）は使用状態（本体部から別体部を取外した状態）の斜視図であり、（ｂ）は不使用時における本体部への別体部の収納を説明する説明図である。
【図８】本発明の実施の形態の他例の血圧測定装置であり、（ａ）は別体部の側面図であり、（ｂ）は不使用状態（別体部を本体部に収納させた状態）の要部の側面図である。
【図９】更に他例の血圧測定装置であり、（ａ）は使用状態（本体部から別体部を取外した状態）の斜視図であり、（ｂ）は（ａ）の要部の側面図であり、（ｃ）は不使用状態（別体部を本体部に収納させた状態）の要部の側面図である。
【図１０】本発明の実施の形態の他例の血圧測定装置の使用状態（血圧測定時）を説明する平面図である。
【図１１】更に他例の血圧測定装置の使用状態（血圧測定時）を説明する平面図である。
【図１２】本発明の実施の形態の他例の血圧測定装置であり、（ａ）は通信が正常に行われている状態を説明する平面図であり、（ｂ）は（ａ）の表示部の平面拡大図である。
【図１３】図１２の血圧測定装置であり、（ａ）は通信不良が生じている状態を説明する平面図であり、（ｂ）は（ａ）の表示部の平面拡大図である。
【図１４】更に他例の血圧測定装置だえり、（ａ）は通信が正常に行われている状態を説明する平面図であり、（ｂ）は通信不良が生じている状態を説明する平面図である。
【図１５】（ａ）（ｂ）は従来技術の例の血圧測定装置の左右勝手毎の使用状態を説明する平面図である。
【符号の説明】
【００４３】
１  血圧測定装置
２  本体部
３  別体部
４  血圧測定部
１５  本体側通信部
１８  表示部
２２  別体側通信部
Ｈ  被測定者
Ｒ  赤外線
【図１】
2008148767.tif 000003
【図２】
2008148767.tif 000004
【図３】
2008148767.tif 000005
【図４】
2008148767.tif 000006
【図５】
2008148767.tif 000007
【図６】
2008148767.tif 000008
【図７】
2008148767.tif 000009
【図８】
2008148767.tif 000010
【図９】
2008148767.tif 000011
【図１０】
2008148767.tif 000012
【図１１】
2008148767.tif 000013
【図１２】
2008148767.tif 000014
【図１３】
2008148767.tif 000015
【図１４】
2008148767.tif 000016
【図１５】
2008148767.tif 000017